(57)【要約】【課題】伝送路で生じる信号歪や伝送特性を容易に測定でき、通信回線の運用を停止せずに試験を実施することが可能な回線試験装置を提供する。【解決手段】送信側装置に設けられた弾器を介して通信回線の伝送を維持しつつ取り出された信号を測定する送信側ＰＣ１３と、受信側装置に設けられた弾器を介して通信回線の伝送を維持しつつ取り出された信号を測定し、送信側ＰＣ１３と通信網２０を介して接続された受信側ＰＣ１９とを具備する。送信側ＰＣ１３と受信側ＰＣ１９との時刻同期を図る手段と、送信側ＰＣ１３で測定された信号と受信側ＰＣ１９で測定された信号とを比較演算する比較演算手段と、比較演算手段で演算された比較結果を出力する結果出力手段とを設ける。【選択図】      図１
2007166438.tif 000002
【特許請求の範囲】
【請求項１】
送信側装置に設けられた弾器を介して通信回線の伝送を維持しつつ信号を取り出す第１の信号取出手段と、
前記第１の信号取出手段を介して取り出された信号を測定する第１の信号測定手段を有する第１の演算器と、
受信側装置に設けられた弾器を介して通信回線の伝送を維持しつつ信号を取り出す第２の信号取出手段と、
前記第２の信号取出手段を介して取り出された信号を測定する第２の信号測定手段を有し、前記第１の演算器と通信網を介して接続された第２の演算器とを備え、
前記第１の演算器と前記第２の演算器との時刻同期を図る手段と、
前記第１の演算器で測定された信号と前記第２の演算器で測定された信号とを比較演算する比較演算手段と、
前記比較演算手段で演算された比較結果を出力する結果出力手段と
を具備することを特徴とする回線試験装置。
【請求項２】
前記通信回線の信号がデジタル信号である場合に、前記比較演算手段は、前記第１の演算器で測定されたデジタル信号と前記第２の演算器で測定されたデジタル信号とに基づきビットエラーレートの最小値を演算し、
前記結果出力手段は、前記ビットエラーレートの最小値の経時変化を含む比較結果を出力するものである請求項１記載の回線試験装置。
【請求項３】
前記通信回線の信号がアナログ信号である場合に、前記比較演算手段は、前記第１の演算器で測定された信号の所定周波数帯の一定時間の平均レベルと前記第２の演算器で測定された信号の前記所定周波数帯の一定時間の平均レベルとを比較し、
前記結果出力手段は、前記第２の演算器で測定された信号の平均レベルと前記第１の演算器で測定された信号の平均レベルとの差で表される損失の偏差を含む比較結果を出力するものである請求項１記載の回線試験装置。
【請求項４】
前記通信回線の信号がアナログ信号である場合に、前記比較演算手段は、周波数帯毎に前記第１の演算器で測定された信号の一定時間の平均レベルと前記第２の演算器で測定された信号の一定時間の平均レベルとを比較し、
前記結果出力手段は、その比較結果を周波数との関係で示す周波数特性として出力するものである請求項１記載の回線試験装置。
【請求項５】
請求項１に記載の回線試験装置を用いた回線試験方法であって、
前記第１の演算器と前記第２の演算器との時刻同期を図った後に、前記第１の信号測定手段にて前記第１の信号取出手段を介して取り出された信号を測定すると共に前記第２の信号測定手段にて前記第２の信号取出手段を介して取り出された信号を測定し、
前記第１の演算器で測定された信号と前記第２の演算器で測定された信号とを前記通信網を介して集約させた上で前記比較演算手段にて比較演算し、その比較結果を前記結果出力手段に出力させることを特徴とする回線試験方法。
【請求項６】
前記通信回線の信号がデジタル信号である場合に、前記第１の演算器で測定された信号と前記第２の演算器で測定された信号とを前記通信網を介して集約させた上で、前記比較演算手段にて前記第１の演算器で測定された信号と前記第２の演算器で測定された信号とに基づきビットエラーレートの最小値を演算し、前記ビットエラーレートの最小値の経時変化を含む比較結果を前記結果出力手段に出力させることを特徴とする請求項５記載の回線試験方法。
【請求項７】
前記通信回線の信号がアナログ信号である場合に、前記第１の演算器で測定された信号と前記第２の演算器で測定された信号とを前記通信網を介して収集させた上で、前記比較演算手段にて前記第１の演算器で測定された信号の所定周波数帯の一定時間の平均レベルと前記第２の演算器で測定された信号の前記所定周波数帯の一定時間の平均レベルとを比較し、前記第２の演算器で測定された信号の平均レベルと前記第１の演算器で測定された信号の平均レベルとの差で表される損失の偏差を含む比較結果を前記結果出力手段に出力させることを特徴とする請求項５記載の回線試験方法。
【請求項８】
前記通信回線の信号がアナログ信号である場合に、前記第１の演算器で測定された信号と前記第２の演算器で測定された信号とを前記通信網を介して集約させた上で、前記比較演算手段にて周波数帯毎に前記第１の演算器で測定された信号の一定時間の平均レベルと前記第２の演算器で測定された信号の一定時間の平均レベルとを比較し、その比較結果を周波数との関係で示す周波数特性として前記結果出力手段に出力させることを特徴とする請求項５記載の回線試験方法。
【発明の詳細な説明】
【技術分野】
【０００１】
本発明は、搬送端局装置等の通信装置に設けられた弾器に装着されて回線試験を行うために有用な回線試験装置および回線試験方法に関する。
【背景技術】
【０００２】
多重無線装置や光ファイバケーブルで信号を伝送するために、信号を多重化して送出したり、多重化した信号を受信側で元の信号に分離する搬送端局装置が設けられている。この搬送端局装置は、その通話路盤（チャンネル盤）に弾器コードの弾器プラグが装着可能な弾器ジャックが設けられ、この弾器ジャックに装着された弾器コードを介してライン側接続線と装置側接続線とをテスト盤に接続し、このテスト盤に試験コードを介して接続された試験器により回線の音声試験等が行われるようになっている（例えば、特許文献１参照）。
【特許文献１】特開平７ー１４３５２７号公報
【発明の開示】
【発明が解決しようとする課題】
【０００３】
ところで、一般的な弾器ジャックは、一旦弾器コネクタに接続すると、通信回線が切断されてしまうため、回線試験を行うためには、運用中の回線を停止するようにしている。このため、通信回線を停止するための調整に時間がかかるとともに，対向箇所と連絡をとりながら人手により測定するため，回線試験に時間がかかるものであった。
また，従来の試験方法では，測定器等で作られた試験用信号により試験するため，実際に送受信される信号の歪や伝送特性を正確に把握することができないものであった。
【０００４】
本発明は、上述した事情に鑑みてなされたものであり、伝送路で生じる信号歪や伝送特性を容易に測定することができ、しかも通信回線の運用を停止せずに試験を実施することが可能な回線試験装置及びこれを用いた回線試験方法を提供することを主たる課題としている。
【課題を解決するための手段】
【０００５】
上記課題を達成するために、この発明に係る回線試験装置は、送信側装置に設けられた弾器を介して通信回線の伝送を維持しつつ信号を取り出す第１の信号取出手段と、前記第１の信号取出手段を介して取り出された信号を測定する第１の信号測定手段を有する第１の演算器と、受信側装置に設けられた弾器を介して通信回線の伝送を維持しつつ信号を取り出す第２の信号取出手段と、前記第２の信号取出手段を介して取り出された信号を測定する第２の信号測定手段を有し、前記第１の演算器と通信網を介して接続された第２の演算器とを備え、前記第１の演算器と前記第２の演算器との時刻同期を図る手段と、前記第１の演算器で測定された信号と前記第２の演算器で測定された信号とを比較演算する比較演算手段と、前記比較演算手段で演算された比較結果を出力する結果出力手段とを具備することを特徴としている（請求項１）。
このような回線試験装置を用いて回線試験を行うには、前記第１の演算器と前記第２の演算器との時刻同期を図った後に、前記第１の信号測定手段にて前記第１の信号取出手段を介して取り出された信号を測定すると共に前記第２の信号測定手段にて前記第２の信号取出手段を介して取り出された信号を測定し、前記第１の演算器で測定された信号と前記第２の演算器で測定された信号とを前記通信網を介して集約させた上で前記比較演算手段にて比較演算し、比較結果を前記結果出力手段に出力させるとよい（請求項５）。
【０００６】
したがって、送信側装置から送信される信号は、第１の信号取出手段を介して通信回線の伝送を維持したまま取り出されて第１の演算器の第１の測定手段によって測定され、また、受信側装置で受信された信号は、第２の信号取出手段を介して通信回線の伝送を維持したまま取り出されて第２の演算器の第２の測定手段によって測定される。このため、通信回線を停止させることなく、また、通信回線の伝送を切断することなく回線試験を実施することが可能となる。
【０００７】
また、時刻同期を図った第１及び第２の演算器を用い、送信側装置から送信される信号を第１の演算器で測定し、受信側装置で受信される信号を第２の演算器で測定し、比較演算手段によりそれぞれの演算器で測定した信号を比較演算し、その結果を結果出力手段に出力するようにしたので、送信側装置から送信された信号と受信側装置で受信された信号とを比較することで伝送路で生じる信号歪や伝送特性を容易且つ正確に把握することが可能となる。
【０００８】
ここで、通信回線の信号がデジタル信号である場合に、前記比較演算手段は、前記第１の演算器で測定したデジタル信号と前記第２の演算器で測定したデジタル信号とに基づきビットエラーレートの最小値を演算し、前記結果出力手段は、前記ビットエラーレートの最小値の経時変化を含む比較結果を出力するようにしてもよい（請求項２）。
即ち、通信回線の信号がデジタル信号である場合に、第１の演算器で測定された信号と第２の演算器で測定された信号とを通信網を介して集約させた上で、比較演算手段にて第１の演算器で測定された信号と第２の演算器で測定された信号とに基づきビットエラーレートの最小値を演算し、ビットエラーレートの最小値の経時変化を含む比較結果を前記結果出力手段に出力させるようにしてもよい（請求項６）。
【０００９】
また、通信回線の信号がアナログ信号である場合に、前記比較演算手段は、前記第１の演算器で測定された信号の所定周波数帯の一定時間の平均レベルと前記第２の演算器で測定された信号の前記所定周波数帯の一定時間の平均レベルとを比較し、結果出力手段は、前記第２の演算器で測定された信号の平均レベルと前記第１の演算器で測定された前記信号の平均レベルとの差で表される損失の偏差を含む比較結果を出力するようにしても、また、前記比較演算手段は、周波数帯毎に第１の演算器で測定された信号の一定時間の平均レベルと第２の演算器で測定された信号の一定時間の平均レベルとを比較し、結果出力手段は、その比較結果を周波数との関係で示す周波数特性として出力するようにしてもよい（請求項３，４）。
即ち、通信回線の信号がアナログ信号である場合に、第１の演算器で測定された信号と第２の演算器で測定された信号とを通信網を介して収集させた上で、比較演算手段にて第１の演算器で測定された信号の所定周波数帯の一定時間の平均レベルと第２の演算器で測定された信号の前記所定周波数帯の一定時間の平均レベルとを比較し、前記第２の演算器で測定された信号の平均レベルと前記第１の演算器で測定された信号の平均レベルとの差で表される損失の偏差を含む比較結果を結果出力手段に出力させるようにしても、第１の演算器で測定された信号と第２の演算器で測定された信号とを通信網を介して集約させた上で、比較演算手段にて周波数帯毎に第１の演算器で測定された信号の一定時間の平均レベルと第２の演算器で測定された信号の一定時間の平均レベルとを比較し、その比較結果を周波数との関係で示す周波数特性として前記結果出力手段に出力させるようにしてもよい（請求項７，８）。
【発明の効果】
【００１０】
以上述べたように、本発明によれば、送信側装置から送信される信号を通信回線の伝送を維持しつつ第１の演算器で測定し、受信側装置で受信される信号を通信回線の伝送を維持しつつ第２の演算器で測定し、これら信号を比較演算してその結果を出力するようにしたので、通信回線を停止させることなく回線試験の実施が可能となり、また、伝送路で生じる信号歪や伝送特性を容易且つ正確に把握することが可能となる。
【発明を実施するための最良の形態】
【００１１】
以下、本発明の最良の実施形態を添付図面を参照しながら説明する。
【００１２】
図１において、伝送路１の一方側（送信側）に搬送端局装置のチャンネル盤（通話路盤）２を介して電話等の端末装置３が接続され、伝送路１の他方側（受信側）に搬送端局装置のチャンネル盤（通話路盤）４を介して電話等の端末装置５が接続された一般的な通信回線が示されている。それぞれのチャンネル盤２，４には弾器ジャック６，７が設けられ、送信側のチャンネル盤２に設けられた弾器ジャック６は、弾器コード８を介してテスト盤９の弾器ジャック１０に接続され、このテスト盤９は、弾器ジャック１０と電気的に接続されたＵリンク１１に試験コード１２を介して送信側ＰＣ（送信側演算器）１３に接続されている。また、受信側のチャンネル盤４に設けられた弾器ジャック７は、弾器コード１４を介してテスト盤１５の弾器ジャック１６に接続され、このテスト盤１５は、弾器ジャック１６と電気的に接続されたＵリンク１７に試験コード１８を介して受信側ＰＣ（受信側演算器）１９に接続されている。
【００１３】
それぞれの弾器ジャック６，７，１０，１６は、ばね板状の対をなす接触片からなる端子６ａ，６ｂ，７ａ，７ｂ，１０ａ，１０ｂ，１６ａ，１６ｂを有し、それぞれの対をなす端子６ａ，６ｂ，７ａ，７ｂ，１０ａ，１０ｂ，１６ａ，１６ｂが自身の弾力で互いに弾接した構造を有しており、弾器ジャック６，７，１０，１６の端子間に弾器コード８，１４を挿入することで、対をなす端子の弾接状態が解除され、弾器ジャック６，７，１０，１６の端子が弾器コード８，１４の端子に圧接するようになっている。また、テスト盤９，１５のＵリンク１１，１７は、対をなす接触片からなる端子１１ａ，１１ｂ，１７ａ，１７ｂを有し、この対をなす端子間の電気的導通状態を維持しつつ該端子間に試験コード１２，１８を挿入できるようになっている。
【００１４】
したがって、チャンネル盤（通話路盤）２，４とテスト盤９，１５とを接続するにあたり、先ず、テスト盤側の弾器ジャック１０，１６に弾器コード８，１４の一端を挿入して接続し、次いで、チャンネル盤（通話路盤）側の弾器ジャック６，７に弾器コード８，１４の他端を挿入して接続すれば、通信回線の伝送は、弾器ジャック６，７、弾器コード８，１４、テスト盤９，１５の弾器ジャック１０，１６及びＵリンク１１，１７を介して維持され、この状態でＵリンク１１，１７に試験コード１２，１８を接続することで、通信回線の伝送を維持しつつ通信回線から信号を取り出すことができるようになっている。
【００１５】
この送信側搬送端局装置のチャンネル盤２に設けられた弾器ジャック６に接続される弾器コード８と、この弾器コード８が接続される弾器ジャック１０を備えると共に試験コード１２が接続されるＵリンク１１を備えたテスト盤９とにより、送信側装置に設けられた弾器を介して通信回線の伝送を維持しつつ信号を取り出す第１の信号取出手段が構成され、また、受信側搬送端局装置のチャンネル盤４に設けられた弾器ジャック７に接続される弾器コード１４と、この弾器コード１４が接続される弾器ジャック１６を備えると共に試験コード１８が接続されるＵリンク１７を備えたテスト盤１５とにより、受信側装置に設けられた弾器を介して通信回線の伝送を維持しつつ信号を取り出す第２の信号取出手段が構成される。
【００１６】
送信側ＰＣ（送信側演算器）１３と受信側ＰＣ（受信側演算器）１９は、インターネットや携帯電話網、電話回線網などの通信網２０を介して互いに接続されており、データ等の送受信が行えるようになっている。
【００１７】
受信側ＰＣ１９は，ＧＰＳからの時刻情報や標準電波からの時刻情報に基づき内部時計を更正する時刻同期処理部２１と、この同期された時刻に基づき伝送路１から弾器コード１４、テスト盤１５、試験コード１８を介して取り出されたデータを測定するデータ測定部２２と、データ測定部２２で測定されたデータを送信側ＰＣ１３に通信網２０を介して送信する送信部２３とを有して構成されている。
【００１８】
また、送信側ＰＣ１３は、ＧＰＳからの時刻情報や標準電波からの時刻情報に基づき内部時計を更正する時刻同期処理部３１と、この同期された時刻に基づき伝送路１から弾器コード８、テスト盤９、試験コード１２を介して取り出されたデータを測定するデータ測定部３２と、前記受信側ＰＣ１９の送信部２３から通信網２０を介して送信されたデータを受信する受信部３３と、前記データ測定部３２で測定されたデータと前記受信部３３で受信されたデータとを比較演算処理するデータ処理部３４と、前記データ処理部３４で比較演算処理された演算結果を表示するモニタ等からなる結果表示部３５とを有して構成されている。
【００１９】
図２において、上記回線試験装置を用いた試験方法がフローチャートとして示され、以下、このフローチャートに基づいて回線試験の概要を説明する。
【００２０】
送信側ＰＣ１３においては、時刻同期処理部３１においてＧＰＳからの時刻情報や標準電波からの時刻情報に基づき内部時計を更正する時刻同期処理を行い（ステップ５０）、この同期された時刻に基づき送信側の端末装置３から受信側の端末装置５へ伝送路１を介して伝送する信号（送信信号）をテスト盤９に接続された試験コード１２を介してデータ測定部３２により一定時間測定する（ステップ５２）。
【００２１】
また、受信側ＰＣ１９においても、時刻同期処理部２１においてＧＰＳからの時刻情報や標準電波からの時刻情報に基づき内部時計を更正する時刻同期処理を行い（ステップ５４）、この同期された時刻に基づき送信側の端末装置３から受信側の端末装置５へ伝送路１を介して伝送された信号（受信信号）をテスト盤１５に接続された試験コード１８を介してデータ測定部２２により一定時間測定する（ステップ５６）。そして、受信側ＰＣ１９において、一定時間測定した測定データ（受信側測定データ）を送信部２３から通信網２０を介して送信側ＰＣ１３へ送信する（ステップ５８）。
【００２２】
これに対して、送信側ＰＣ１３においては、受信部３３において受信側ＰＣ１９の送信部２３から送信された受信側測定データを受信してこの送信側ＰＣ１３に送信側測定データと受信側測定データとを集約させ（ステップ６０）、しかる後に、データ処理部３４において前記データ測定部３２で測定された送信側測定データと受信部３３で受信された受信側測定データとを比較演算処理し（ステップ６２）、その演算結果を結果表示部３５に表示させる（ステップ６４）。
【００２３】
前記ステップ６２の比較演算処理は、具体的には、次のように行われる。先ず、通信回線の信号がデジタル信号である場合（測定したデータがデジタルデータである場合）には、図３に示されるように、送信側ＰＣ１３のデータ測定部３２で測定されたデータ（送信側測定データ）と受信側ＰＣ１９のデータ測定部２２で測定されたデータ（受信側測定データ）との一方又は双方の時間軸を順次ずらしてビットエラーレートを演算する（ステップ１０２）。
【００２４】
そして、送信信号と受信信号の測定点（時間軸）を一致させるために、時間軸を順次ずらして演算されたビットエラーレートの中から最小値を抽出し、そのときの値を演算結果とする（ステップ１０４）。
【００２５】
前記ステップ６４における演算結果表示においては、例えば、図４に示されるように、最小値となるビットエラーレートの時間推移をグラフ化して結果表示部３５に表示させる。
【００２６】
これに対して、通信回線の信号がアナログ信号である場合（測定したデータがアナログデータである場合）において、前記ステップ６２の比較演算処理は、伝送損失レベルを測定する場合であれば、図５のブロック図に示されるように行われる。即ち、送信側ＰＣ１３で測定されたデータをフィルタ処理（ブロック２０２）した後に所定の周波数帯（例えば、０．９kHz）の信号を抽出し（ブロック２０４）、また、受信側ＰＣ１９で測定されたデータをフィルタ処理（ブロック２０６）した後に所定の周波数帯（例えば、０．９kHz）の信号を抽出し（ブロック２０８）する。そして、抽出された送信側測定データの平均レベル（入力レベル）と受信側測定データの平均レベル（出力レベル）とを比較処理し、その演算結果を結果表示部３５に出力する（ブロック２１０）。
【００２７】
前記ステップ６４における演算結果表示においては、例えば、図６（ａ）に示されるように、伝送損失レベル特性を、出力レベルと入力レベルとの相関図として表示させたり、図６（ｂ）に示されるように、入力レベルが−１８ｄＢｍであるときの出力レベルと入力レベルとの差で表される損失に対する偏差値を表す損失偏差（ｄＢ）を入力レベル（ｄＢｍ）と共に表化して結果表示部３５に表示させる。
【００２８】
また、通信回線の信号がアナログ信号である場合（測定したデータがアナログデータである場合）において、前記ステップ６２の比較演算処理は、伝送周波数特性を測定する場合であれば、図７のブロック図に示されるように行われる。即ち、送信側ＰＣ１３で測定されたデータをフィルタ処理（ブロック３０２）した後に種々の周波数帯（例えば、０．３kHz、０．９kHz、３．４kHz）毎に信号を抽出し（ブロック３０４，３０６，３０８）、また、受信側ＰＣ１８で測定されたデータをフィルタ処理（ブロック３１０）した後に種々の周波数帯（例えば、０．３kHz、０．９kHz、３．４kHz）毎に信号を抽出し（ブロック３１２，３１４，３１６）、周波数帯ごとに抽出された送信側測定データの平均レベル（入力レベル）と抽出された受信側測定データの平均レベル（出力レベル）とを比較処理し、その演算結果を結果表示部３５に出力する（ブロック３１８）。
【００２９】
ステップ６４における演算結果表示においては、例えば、図８（ａ）に示されるように、伝送損失周波数特性として、出力レベルと入力レベルとの差を周波数を変化させてプロットしたり、図８（ｂ）に示されるように、各周波数の出力レベル偏差を０．９kHzの出力レベルに対する偏差として表化して結果表示部３５に表示させる（０．９kHzに対する出力レベルは、所定の送信レベル（−８ｄＢ）に対して受信レベルが０ｄＢとなるように通信装置が調整されている。）。
【００３０】
したがって、上述の構成によれば、送信側装置から送信される信号は、通信回線の伝送を維持したまま送信側ＰＣ１３で測定され、受信側装置で受信された信号は、通信回線の伝送を維持したまま受信側ＰＣ１９で測定されるので、通信回線を停止させることなく、また、通信回線の伝送を切断することなく回線試験を実施することが可能となる。
また、送信側ＰＣ１３で測定した信号と受信側ＰＣ１９で測定した信号とを比較し、その結果を結果表示部３５に出力させるようにしたので、送信側装置から送信された信号と受信側装置で受信された信号とを比較して伝送路で生じる信号歪や伝送特性を容易且つ正確に把握することが可能となる。
【００３１】
尚、以上の構成においては、送信側ＰＣ１３に対して受信側ＰＣ１９で測定された測定データを通信網２０を介して送信し、送信側ＰＣ１３に送信側データと受信側データとを集約させるようにしたが、送信側ＰＣ１３で測定された測定データを通信網２０を介して受信側ＰＣ１９に送信し、受信側ＰＣ１９に送信側データと受信側データとを集約させて同様の比較演算処理を行い、演算結果を表示させるようにしてもよい。また、送信側データと受信側データとを通信網２０を介して図示しない他のＰＣ（演算器）に送信し、そのＰＣで同様の比較演算処理を行い、演算結果を表示させるようにしてもよい。
【図面の簡単な説明】
【００３２】
【図１】図１は、本発明にかかる回線試験装置の全体構成を示す図である。
【図２】図２は、図１の送信側ＰＣと受信側ＰＣでの動作処理例を示すフロチャートである。
【図３】図３は、図２の比較演算処理の一例として、測定した信号がデジタル信号である場合の例を示すフローチャートである。
【図４】図４は、図３で示す比較演算処理の演算結果の表示例を示す図である。
【図５】図５は、図２で比較演算処理の一例として、測定した信号がアナログ信号である場合の例を示すフローチャートである。
【図６】図６は、図５で示す比較演算処理の演算結果の表示例を示す図である。
【図７】図７は、図２で比較演算処理の一例として、測定した信号がアナログ信号である場合の他の例を示すフローチャートである。
【図８】図８は、図７で示す比較演算処理の演算結果の表示例を示す図である。
【符号の説明】
【００３３】
６，７，１０，１６  弾器ジャック
８，１４  弾器コード
９，１５  テスト盤
１２，１８  試験コード
１３  送信側ＰＣ
１９  受信側ＰＣ
２０  通信網
２１，３１  時刻同期処理部
２２，３２  データ測定部
２３  送信部
３３  受信部
３４  データ処理部
３５  結果表示部
【図１】
2007166438.tif 000003
【図２】
2007166438.tif 000004
【図３】
2007166438.tif 000005
【図４】
2007166438.tif 000006
【図５】
2007166438.tif 000007
【図６】
2007166438.tif 000008
【図７】
2007166438.tif 000009
【図８】
2007166438.tif 000010